(57)【特許請求の範囲】
【請求項１】
レッグ部及びパンティ部を備えるスパッツにおいて、
ベース生地部よりも伸縮抵抗が大きく、前記パンティ部の上端にあるウエスト・バンドから、前記パンティ部の外側面を経由して、前記レッグ部における大腿部の正面下部を経由し、膝部の内側面、正面下部及び外側面を経由して膝下締付部を形成し、当該膝下締付部の外側面から、前記大腿部の背面側を経由して上方に向かって、前記大腿部の内側面及び正面上部を周回し、前記パンティ部の外側面を経由して前記ウエスト・バンドに連結する締付部を備えることを特徴とするスパッツ。
【請求項２】
請求項１に記載のスパッツにおいて、
前記締付部が、前記膝部の内側面から前記レッグ部における下腿部の内側面を経由して、前記レッグ部の下端にある口ゴムに連結すると共に、前記膝部の外側面から前記下腿部の外側面を経由して、前記口ゴムに連結することを特徴とするスパッツ。
【請求項３】
請求項２に記載のスパッツにおいて、
前記締付部が、着用者の腓腹筋の下縁部に対応する部分に沿って、前記下腿部の内側面及び外側面間を背面側で連結することを特徴とするスパッツ。
【請求項４】
請求項１乃至３のいずれかに記載のスパッツにおいて、
前記締付部が、前記大腿部の背面から前記大腿部の外側面及び前記パンティ部の外側面を経由して、前記ウエスト・バンドに連結することを特徴とするスパッツ。
【請求項５】
請求項１乃至４のいずれかに記載のスパッツにおいて、
前記膝部の正面下部における前記締付部の伸縮抵抗が、前記膝部の正面両側部における前記締付部の伸縮抵抗よりも大きいことを特徴とするスパッツ。
【発明の詳細な説明】
【技術分野】
【０００１】
この発明は、シェイプアップ機能を有するスパッツに関するものである。
【背景技術】
【０００２】
従来の運動用被服においては、運動用被服の本体の生地より緊締力に富む伸縮性を有するシリコン樹脂等の合成樹脂を、膝や腰等の可動部分に所定の形状に設ける。これにより、可動部分の腱や靱帯をサポートする（例えば、特許文献１参照）。
【先行技術文献】
【特許文献】
【０００３】
【特許文献１】特開平１１−６１５１６号公報
【発明の概要】
【発明が解決しようとする課題】
【０００４】
従来の運動用被服は、膝蓋を包囲して緊締部が広い範囲に配設されているのに対し、大腿部分及び下腿部分の背面には緊締部がほとんど配設されておらず、大腿部分及び下腿部分の正面側と背面側とで緊締力のバランスを欠き、着用感を損なうという課題があった。
また、従来の運動用被服は、ボーダー部（緊締部）が長内転筋をサポートするのであるが、内転筋群を鍛えるものではない。
【０００５】
この発明は、上述のような課題を解決するためになされたもので、着用感を損なうことなく、内転筋群を鍛えることができるスパッツを提供することを目的とする。
【課題を解決するための手段】
【０００６】
この発明に係るスパッツにおいては、ベース生地部よりも伸縮抵抗が大きく、前記パンティ部の上端にあるウエスト・バンドから、前記パンティ部の外側面、前記レッグ部における大腿部の正面下部、膝部の内側面、正面下部及び外側面、前記大腿部の背面、内側面及び正面上部、並びに、前記パンティ部の外側面を経由して、前記ウエスト・バンドに連結する締付部を備える。
【発明の効果】
【０００７】
この発明に係るスパッツにおいては、ベース生地部よりも伸縮抵抗が大きく、前記パンティ部の上端にあるウエスト・バンドから、前記パンティ部の外側面、前記レッグ部における大腿部の正面下部、膝部の内側面、正面下部及び外側面、前記大腿部の背面、内側面及び正面上部、並びに、前記パンティ部の外側面を経由して、前記ウエスト・バンドに連結する締付部を備えることにより、着用感を損なうことなく、内転筋群を鍛えることができる。
【図面の簡単な説明】
【０００８】
【図１】この発明を実施するための第１の実施形態におけるスパッツを示す正面図である。
【図２】図１に示すスパッツの背面図である。
【図３】（ａ）は図１に示すスパッツの左側面図及び右側面図であり、（ｂ）は図１に示すスパッツの平面図であり、（ｃ）は図１に示すスパッツの底面図である。
【図４】（ａ）は図１に示すスパッツの使用状態を示す左側面図であり、（ｂ）は図１に示すスパッツの使用状態を示す右側面図であり、（ｃ）は図１に示すスパッツの使用状態を示す背面側からの斜視図である。
【図５】この発明を実施するための第１の実施形態における他のスパッツを示す正面図である。
【図６】図５に示すスパッツの背面図である。
【発明を実施するための形態】
【０００９】
（本発明の第１の実施形態）
スパッツ１００は、図１〜図３に示すように、パンティ部１０及びレッグ部２０の二部に大別され、ベース生地部１に対して、異なる編み立てを施した締付部２により所望のテーピング効果を持たせている。なお、本実施形態に係るベース生地部１は、伸縮性のある平編で編成されているが、締付部２の伸縮抵抗より伸縮抵抗が小さいのであれば、平編地に限られるものではない。
【００１０】
パンティ部１０は、上端である腰天１１のゴムテープの部分であるウエスト・バンド１２と、着用者の腰を覆う部分であるパンティ１３と、着用者の股の添え生地であるガセット１４と、を備え、腰天１１から身部切替えまでの部分の総称である。
また、パンティ部１３は、鹿の子編で編成され、着用者の腹部に対応する腹押圧部１３ａを備えることにより、水中における水の粘性抵抗を受けるように、着用者の腹部に圧力をかけて（図４（ａ）の符号Ｉ参照）、着用者のインナーマッスルである腹横筋を働かせることができる。
【００１１】
レッグ部２０は、着用者の大腿（太股）に対応する部分である大腿部２１と、着用者の膝に対応する部分である膝部２２と、着用者の膝蓋骨に対応する部分である膝蓋骨部２３と、着用者の下腿に対応する部分である下腿部２４と、レッグ部２０の下端である裾２５のゴムテープの部分である口ゴム２６と、を備え、大腿部２１から裾２５までの部分の総称である。
【００１２】
なお、スパッツ１００は、既存の靴下編機により筒状に編んだ一対の編地を用いて、パンティ１３に相当する部分に切れ目を入れて裁断縁同士を付き合わせて縫着して一体化したものである。
また、本実施形態に係るスパッツ１００は、図２に示すように、パンティ部１０の背面側におけるパンティ１３とガセット１４との境界近傍に、丈夫な編地であり、伸縮性を強調するノンラン編で編成した領域（以下、緩衝部１５と称す）を備えることにより、着用者の臀部による生地の伸長に対して、境界部分からの破断を防止し、臀部の曲面に沿って柔軟に対応することができる。
【００１３】
締付部２は、ベース生地部１よりも伸縮抵抗が大きく、パンティ部１０の上端にあるウエスト・バンド１２から、パンティ部１０の外側面２ａ、レッグ部２０における大腿部２１の正面下部２ｂ、膝部２２の内側面２ｃ、正面下部２ｄ及び外側面２ｅ、大腿部２１の背面２ｆ、内側面２ｇ及び正面上部２ｈ、並びに、パンティ部１０の外側面２ａを経由して、ウエスト・バンド１２に連結する。
このように、締付部２は、大腿部２１を周回し、膝部２２の内側面２ｃ、正面下部２ｄ及び外側面２ｅに配設されることにより、水中の浮力のように、着用者の膝を支持すると共に、膝を外側に向ける力が働くことになる（図４（ａ）及び図４（ｂ）の符号Ａ参照）。
また、締付部２は、大腿部２１の正面下部２ｂ及び正面上部２ｈからパンティ部１０の外側面２ａを経由してウエスト・バンド１２に連結することにより、図４（ａ）及び図４（ｂ）の符号Ｇに示すように、着用者の脚を横に広げる（股関節を外転する）力が働いた状態で、脚を閉じる（股関節を内転する）動作や歩行動作により、水中における水の粘性抵抗を受けるように、着用者の内転筋群を鍛えて脂肪を燃焼することができる。
【００１４】
特に、締付部２は、膝部２２の正面下部２ｄにおける締付部２（以下、膝下締付部２ｄと称す）の伸縮抵抗が、膝部２２の正面両側部（内側面２ｃ、外側面２ｅ）における締付部２の伸縮抵抗よりも大きく編成されている。
この膝下締付部２ｄは、締付部２より伸縮抵抗が大きいことにより、常時、着用者の膝蓋骨の正面下部２ｄにおける最適な位置に締付部２を固定させ、締付部２が、膝蓋骨の正面下部２ｄから外れることを防止することができる。
また、膝下締付部２ｄは、スパッツ１００を着用する際に、着用者の膝蓋骨の正面下部２ｄにおける最適な位置に締付部２を重畳させる目印とすることができる。
【００１５】
また、締付部２は、膝部２２の内側面２ｃからレッグ部２０における下腿部２４の内側面２ｉを経由して、レッグ部２０の下端にある口ゴム２６に連結すると共に、膝部２２の外側面２ｅから下腿部２４の外側面２ｊを経由して、口ゴム２６に連結してもよい。
このように、締付部２は、口ゴム２６に連結することにより、口ゴム２６が締付部２のアンカーとして機能して締付部２のずれを抑制することができる。
これに対し、図５及び図６に示すように、締付部２を口ゴム２６に連結しない場合には、膝部２２における締付部２（内側面２ｃ、外側面２ｅ、膝下締付部２ｄ）が口ゴム２６側に牽引されないため、締付部２による着用者の膝部を引き上げる効果を阻害することがない。
なお、図５及び図６の二点鎖線に示すように、締付部２を口ゴム２６に連結した場合であっても、締付部２（内側面２ｃ、外側面２ｅ、膝下締付部２ｄ）の伸縮抵抗より伸縮抵抗が小さい編地で編成することにより、同様の作用効果を奏することができる。
【００１６】
また、締付部２は、着用者の腓腹筋（脹脛）の下縁部に対応する部分２ｋに沿って、下腿部２４の内側面２ｉ及び外側面２ｊ間を背面側で連結してもよい。
このように、締付部２は、着用者の腓腹筋の下縁部に対応する部分２ｋに沿って、下腿部２４の内側面２ｉ及び外側面２ｊ間を背面側で連結することにより、水中の浮力のように、腓腹筋（脹脛）を支持して持ち上げることができる（図４（ｂ）及び図４（ｃ）の符号Ｂ参照）。
【００１７】
また、締付部２は、着用者の踵骨腱（アキレス腱）に対応する領域（以下、踵骨腱締付部２ｌと称す）に配設され、踵骨腱締付部２ｌの伸縮抵抗が、締付部２の他の領域の伸縮抵抗よりも大きく編成されている。
【００１８】
さらに、締付部２は、大腿部２１の背面２ｍから大腿部２１の外側面２ｎ及びパンティ部１０の外側面２ａを経由して、ウエスト・バンド１２に連結してもよい。
このように、締付部２は、大腿部２１の背面２ｍから大腿部２１の外側面２ｎ及びパンティ部１０の外側面２ａを経由して、ウエスト・バンド１２に連結することにより、水中の浮力のように、着用者の大腿を支持すると共に、着用者の脚を横に広げる（股関節を外転する）力が働いた状態で（図４（ｃ）の符号Ｈ参照）、脚を閉じる（股関節を内転する）動作及び歩行動作により、水中における水の粘性抵抗を受けるように、着用者の内転筋群及び大殿筋を鍛えて脂肪を燃焼することができる。
【００１９】
また、締付部２は、着用者の臀溝に沿うと共に着用者の臀部を包囲する領域に配設され、着用者の臀溝に沿う領域２ｏと着用者の臀溝と平行に併設される領域２ｐとの間（以下、臀部締付部２ｑと称す）の伸縮抵抗が、着用者の臀溝に沿う領域２ｏにおける締付部２の伸縮抵抗よりも大きく編成されている。
【００２０】
なお、本実施形態においては、締付部２を３×１リブ編で編成し、膝下締付部２ｄ及び臀部締付部２ｑを２×１リブ編で編成し、踵骨腱締付部２ｌを１×１リブ編で編成しているが、ベース生地部１の伸縮抵抗に対して伸縮抵抗が大きいのであれば、これらの編地に限られるものではない。
【００２１】
膝蓋骨部２３は、メッシュ編で編成される伸縮性が高い編地であり、着用者の膝頭を包み込み、強締付部２により着用者の膝頭の下方から着用者の膝を確実に支持させることができる。
【００２２】
ここで、素材に伸長を与えない状態から一定の伸長を与えた場合の張力をＦとし、レッグ部２０の周方向Ｈにおけるベース生地部１の張力ＦＨ１、レッグ部２０の周方向Ｈにおける締付部２の張力ＦＨ２とすると、締付部２がベース生地部１と比較して強い締め付け力を持つような、ＦＨ２＞ＦＨ１という大小関係を持たせることが好ましい。
【００２３】
特に、レッグ部２０の周方向Ｈにおける膝下締付部２ｄの張力ＦＨ２ｄ、レッグ部２０の周方向Ｈにおける踵骨腱締付部２ｌの張力ＦＨ２ｌ、レッグ部２０の周方向Ｈにおける臀部締付部２ｑの張力ＦＨ２ｑとすると、膝下締付部２ｄ及び臀部締付部２ｑが、締付部２と比較して強い締め付け力を持ち、踵骨腱締付部２ｌと比較して弱い締め付け力を持つような、ＦＨ２ｌ＞ＦＨ２ｄ，ＦＨ２ｑ＞ＦＨ２という大小関係を持たせることがさらに好ましい。
【００２４】
特に、本実施形態に係るスパッツ１００は、図４（ａ）の符号Ｃに示すように、口ゴム２６（着用者の足首）から膝下締付部２ｄ（着用者の膝下）にかけて度目を段階的に減少させ、周方向の締め付け力を段階的に弱めることにより、脹脛を持ち上げる着用感を着用者に与えることができる。
【００２５】
また、本実施形態に係るスパッツ１００は、図４（ｂ）の符号Ｄに示すように、膝蓋骨部２３上（着用者の膝上）からパンティ部１０（着用者の大腿の付け根）にかけて度目を段階的に減少させ、周方向の締め付け力を段階的に弱めることにより、大腿を持ち上げる着用感を着用者に与えることができる。
【００２６】
また、本実施形態に係るスパッツ１００は、図４（ｂ）の符号Ｅ及び図４（ａ）の符号Ｆに示すように、膝蓋骨部２３上並びにウエスト・バンド１２及び腹押圧部１３ａにおける度目を調整して周方向の締め付け力を与え、着用者の膝上並びにウエスト及び腹部の引き締め効果を与えることができる。
【００２７】
以上のように、本実施形態に係るスパッツ１００は、着用者の膝、脹脛及び大腿に対応する位置に配設される締付部２を備えることにより、着用者の膝、脹脛並びに大腿の関節及び筋肉を下方から支持すると共に、運動による関節への衝撃や筋肉の振れを軽減し、着用者の膝や腰への負担を軽減して、着用者の日常動作を補助することができる。
【００２８】
また、本実施形態に係るスパッツ１００は、全体として、口ゴム２６（着用者の足首）からパンティ部１０（着用者の大腿の付け根）にかけて、度目を変化させて段階的に周方向の締め付け力を弱めている。すなわち、本実施形態に係るスパッツ１００は、着用者の脹脛で周方向の強い締め付け、着用者の膝近傍で周方向の中程度の締め付け、着用者の大腿で弱い締め付けを与えている。
このように、本実施形態に係るスパッツ１００は、着用者の足首から大腿にかけて段階的に圧力を変化させて着用者の脚を引き締めると共に、段階的な圧力により、長時間の歩行や立位時に水中に脚を入れたときのように心地よい着用感を与えることができる。
【００２９】
また、本実施形態に係るスパッツ１００は、着用者の大腿を外側に向ける力を生じさせる締付部２を備えることにより、締付部２による力に逆らうように歩行することで、着用者の内転筋が鍛えられるという作用効果を奏する
また、本実施形態に係るスパッツ１００は、着用者の膝を曲げ易くする力を生じさせる締付部２を備えることにより、締付部２による力に逆らうように歩幅を広げて歩行することで、着用者の大殿筋が鍛えられるという作用効果を奏する。
すなわち、本実施形態に係るスパッツ１００は、締付部２による力に逆らうような日常生活の動作を行なうことで、着用者のエクササイズになるという作用効果を奏する。
【符号の説明】
【００３０】
１      ベース生地部
２      締付部
２ａ    パンティ部の外側面
２ｂ    大腿部の正面下部
２ｃ    膝部の内側面
２ｄ    膝部の正面下部，膝下締付部
２ｅ    膝部の外側面
２ｆ    大腿部の背面
２ｇ    大腿部の内側面
２ｈ    大腿部の正面上部
２ｉ    下腿部の内側面
２ｊ    下腿部の外側面
２ｋ    腓腹筋の下縁部に対応する部分
２ｌ    踵骨腱締付部
２ｍ    大腿部の背面
２ｎ    大腿部の外側面
２ｏ    臀溝に沿う領域
２ｐ    臀溝と平行に併設される領域
２ｑ    臀部締付部
１０    パンティ部
１１    腰天
１２    ウエスト・バンド
１３    パンティ
１３ａ  腹押圧部
１４    ガセット
１５    緩衝部
２０    レッグ部
２１    大腿部
２２    膝部
２３    膝蓋骨部
２４    下腿部
２５    裾
２６    口ゴム
１００  スパッツ
【図１】
0006371664.tif 000002
【図２】
0006371664.tif 000003
【図３】
0006371664.tif 000004
【図４】
0006371664.tif 000005
【図５】
0006371664.tif 000006
【図６】
0006371664.tif 000007